(57)【要約】      （修正有）【課題】車種の違いに拘わらず、車載物品用ホルダー類をエアコン吹き出し口に安定して取り付けることができるエアコン吹き出し口用取付具を提供する。【解決手段】奥側と手前側の一対のスライドブロック１２，１３を本体１１に沿ってスライド可能に組み付け、フック部１２ｋ，１３ｋの間隔をルーバー３３の幅に合わせて調整する。スライドブロック１２，１３の本体１１の基端部からの間隔を調整できるので、ルーバー３３がエアコン吹き出し口３０の開口端面近くに配置されている場合、スライドブロック１２，１３を本体１１の基端部側へスライドさせる。また、ルーバーがエアコン吹き出し口の開口端面から奥側に配置されている場合、スライドブロック１２，１３を本体１１の先端部側へスライドさせる。これにより、本体１１の基端部に設けた取付部１１ｅのエアコン吹き出し口３０の開口端面からの突出寸法を車種の違いに拘わらず一定にできる。【選択図】図３
2014177169.tif 000002
【特許請求の範囲】
【請求項１】
車載物品用ホルダー類をエアコン吹き出し口のルーバーに取り付けるエアコン吹き出し口用取付具であって、長尺の本体と奥側スライド片と手前側スライド片を備え、
本体の上下両面又は左右両面のうち、一方の面に第１ラチェット歯を長手方向に沿って形成し、他方の面に第２ラチェット歯を長手方向に沿って形成し、基端部に車載物品用ホルダー類の取付部を設け、
奥側スライド片には第１ラチェット歯に弾力的に係合する爪歯と、爪歯と第１ラチェット歯の係合を解除する解除部材と、エアコン吹き出し口のルーバーの奥側端部に掛止可能なフック部を設け、
手前側スライド片には第２ラチェット歯に弾力的に係合する爪歯と、爪歯と第２ラチェット歯の係合を解除する解除部材と、エアコン吹き出し口のルーバーの手前側端部に掛止可能なフック部を設け、
奥側スライド片を、第１ラチェット歯と爪歯が係合しているとき本体の基端側へはスライド可能で、本体の先端側へはスライド不能に本体に組み付け、
手前側スライド片を、第２ラチェット歯と爪歯が係合しているとき本体の先端側へはスライド可能で、本体の基端側へはスライド不能に本体に組み付け、
奥側スライド片のフック部をルーバーの奥側端部に掛止し、手前側スライド片のフック部でルーバーの手前側端部を掛止するようにしたことを特徴とする車載物品用ホルダー類をエアコン吹き出し口のルーバーに取り付けるエアコン吹き出し口用取付具。
【請求項２】
左右両側面と前記フック部を垂設した底面を有し、左右両側面のうち一方の側面に外側へ撓ませることができる可撓部を形成し、可撓部の内面に前記爪歯を形成し、可撓部の外面に前記解除部として摘みを形成したスライドブロックを備え、
前記取付具本体の左右両面のうち、一方の面に第１ラチェット歯を形成し、他方の面に第２ラチェット歯を形成し、
前記奥側スライド片として、前記スライドブロックの爪歯を第１ラチェット歯に係合し、
前記手前側スライド片として、前記スライドブロックの爪歯を第２ラチェット歯に係合したことを特徴とする請求項１に記載のエアコン吹き出し口用取付具。
【請求項３】
前記取付具本体に、長手方向と直交する溝状の切欠部を形成し、該切欠部から取付具本体を破断することにより短くできるようにしたことを特徴とする請求項１に記載のエアコン吹き出し口用取付具。
【発明の詳細な説明】
【技術分野】
【０００１】
本発明はカップホルダーやスマートフォン用ホルダー等の車載物品用ホルダー類をエアコン吹き出し口のルーバーに取り付けるエアコン吹き出し口用取付具に関する。
【背景技術】
【０００２】
車載物品用ホルダー類をエアコン吹き出し口のルーバーに取り付ける取付具の一形式として、特開２００６−１８２２７０号公報には、スライド片と長尺の本体を備えた取付具が開示されている。この取付具の本体の上面にはラチェット歯が長手方向に沿って形成し、基端部に車載物品用ホルダー類の取付部が設けられ、先端部にフック部が設けられている。
スライド片にはラチェット歯に係合する爪歯と、爪歯とラチェット歯の係合を解除する解除部材及びフック部が設けられている。
このスライド片は本体に、ラチェット歯と爪歯が係合しているとき先端側へはスライド可能で、基端側へはスライド不能に組み付けられている。
【０００３】
この取付具によれば、本体をエアコン吹き出し口に差し込んで、本体先端部のフック部をルーバーの奥側端部に掛止する。次に、スライド片を本体の先端側へスライドさせ、スライド片のフック部をルーバーの手前側端部に掛止し、本体のフック部とスライド片のフック部でルーバーを挟持する。本体をルーバーに取り付けると、本体の取付部がエアコン吹き出し口から車内に突出するので、取付部に車載物品用ホルダー類を取り付けることができる。
【先行技術文献】
【特許文献】
【０００４】
【特許文献１】特開２００６−１８２２７０号公報
【発明の概要】
【発明が解決しようとする課題】
【０００５】
上記した従来のエアコン吹き出し口用取付具は、スライド片を本体のラチェット歯に沿ってスライドさせることにより、本体の先端部のフック部とスライド片のフック部との間隔を車種によって異なるルーバーの幅に合わせて調整できる。そのため、特定の車種に限定されることなく車載物品用ホルダー類をエアコン吹き出し口に取り付けることができる。
【０００６】
ところで、エアコン吹き出し口の開口端面からルーバーまでの間隔は車種によって異なり、ルーバーがエアコン吹き出し口の奥に配置されている車両もあれば、エアコン吹き出し口の開口端面近くに配置されている車両もある。
【０００７】
この種のエアコン吹き出し口用取付具を用いて車載物品用ホルダー類をエアコン吹き出し口に取り付ける場合、エアコン吹き出し口の開口端面からルーバーまでの間隔に比べてエアコン吹き出し口用取付具の本体が長いと、エアコン吹き出し口から突出する本体の取付部から車載物品用ホルダー類が宙吊りになる。そのため車両走行時の振動で揺れて安定しないので、車載物品の使い勝手が悪くなる。
【０００８】
車載物品用ホルダー類を取付具を用いてエアコン吹き出し口に安定して取り付けるには、取付具の本体に取り付けた車載物品用ホルダー類の端部をエアコン吹き出し口の下端面に当接させる。こうすることにより、車載物品用ホルダー類が揺れ難くなるので安定する。
しかし、車載物品用ホルダー類の端部がエアコン吹き出し口の下端面に当接するようにエアコン吹き出し口に車載物品用ホルダー類を取り付けるには、本体の先端部のフック部とホルダー類を取り付ける取付部が設けられている基端部との間隔がルーバーの奥側端部とエアコン吹き出し口の下端面の間の間隔に適合していなければならない。
【０００９】
上記した従来のエアコン吹き出し口用取付具は本体の先端部に設けたフック部とホルダー類を取り付ける取付部が設けられている基端部との間隔が一定であって可変調整できないので、車種によっては、車載物品用ホルダー類を取付具でエアコン吹き出し口に取り付けたとき、ホルダー類がエアコン吹き出し口から宙吊りになり、揺れて安定しない。
本発明は係る問題点に鑑み、車種の違いに拘わらず、車載物品用ホルダー類をエアコン吹き出し口に安定して取り付けることができるエアコン吹き出し口用取付具を提供することを目的とする。
【課題を解決するための手段】
【００１０】
請求項１に記載の発明は、車載物品用ホルダー類をエアコン吹き出し口のルーバーに取り付けるエアコン吹き出し口用取付具であって、長尺の本体と奥側スライド片と手前側スライド片を備え、
本体の上下両面又は左右両面のうち、一方の面に第１ラチェット歯を長手方向に沿って形成し、他方の面に第２ラチェット歯を長手方向に沿って形成し、基端部に車載物品用ホルダー類の取付部を設け、
奥側スライド片には第１ラチェット歯に弾力的に係合する爪歯と、爪歯と第１ラチェット歯の係合を解除する解除部材と、エアコン吹き出し口のルーバーの奥側端部に掛止可能なフック部を設け、
手前側スライド片には第２ラチェット歯に弾力的に係合する爪歯と、爪歯と第２ラチェット歯の係合を解除する解除部材と、エアコン吹き出し口のルーバーの手前側端部に掛止可能なフック部を設け、
奥側スライド片を、第１ラチェット歯と爪歯が係合しているとき本体の基端側へはスライド可能で、本体の先端側へはスライド不能に本体に組み付け、
手前側スライド片を、第２ラチェット歯と爪歯が係合しているとき本体の先端側へはスライド可能で、本体の基端側へはスライド不能に本体に組み付け、
奥側スライド片のフック部をルーバーの奥側端部に掛止し、手前側スライド片のフック部でルーバーの手前側端部を掛止するようにしたことを特徴とする。
【００１１】
請求項２に記載の発明は、請求項１に記載のエアコン吹き出し口用取付具において、左右両側面と前記フック部を垂設した底面を有し、左右両側面のうち一方の側面に外側へ撓ませることができる可撓部を形成し、可撓部の内面に前記爪歯を形成し、可撓部の外面に前記解除部として摘みを形成したスライドブロックを備え、
前記取付具本体の左右両面のうち、一方の面に第１ラチェット歯を形成し、他方の面に第２ラチェット歯を形成し、
前記奥側スライド片として、前記スライドブロックの爪歯を第１ラチェット歯に係合し、
前記手前側スライド片として、前記スライドブロックの爪歯を第２ラチェット歯に係合したことを特徴とする。
【００１２】
請求項３に記載の発明は、請求項１に記載のエアコン吹き出し口用取付具において、前記取付具本体に、長手方向と直交する溝状の切欠部を形成し、該切欠部から取付具本体を破断することにより短くできるようにしたことを特徴とする。
【発明の効果】
【００１３】
請求項１に記載の発明に係るエアコン吹き出し口用取付具によれば、奥側と手前側の一対のスライド片を本体に沿ってスライドさせることができるので、各スライド片に設けたフック部とフック部との間隔をルーバーの幅に合わせて調整できる。
【００１４】
両スライド片の本体基端部からの間隔を調整できるので、ルーバーがエアコン吹き出し口の開口端面近くに配置されている場合、両スライド片を本体の基端部側へスライドさせ、ルーバーがエアコン吹き出し口の開口端面から奥側に配置されている場合、両スライド片を本体の先端部側へスライドさせることにより、本体の基端部に設けた取付部のエアコン吹き出し口の開口端面からの突出寸法を車種の違いに拘わらず一定にできる。
従って、取付部のエアコン吹き出し口の開口端面からの突出寸法を、取付部に車載物品用ホルダー類を取り付けたとき車載物品用ホルダー類の端部がエアコン吹き出し口の下端面に当接するように設定することにより、車載物品用ホルダー類を車種の違いに拘わらず安定してエアコン吹き出し口に取り付けることができる。
【００１５】
奥側スライド片を第１ラチェット歯と爪歯が係合しているとき本体の先端側へはスライド不能に本体に組み付け、手前側スライド片を第２ラチェット歯と爪歯が係合しているとき本体の基端側へはスライド不能に本体に組み付けたので、ルーバーを挟持している両スライド片のフック部の間隔が車両走行時の振動で広がるおそれはない。そのため、車両走行時、本体がルーバーから不用意に外れるのを確実に防止できる。
【００１６】
請求項２に記載の発明に係るエアコン吹き出し口用取付具によれば、スライドブロックを奥側スライド片と手前側スライド片に共用でき、部品点数を少なくしてコストを低減できる。
【００１７】
請求項３に記載の発明に係るエアコン吹き出し口用取付具によれば、本体が長すぎるために、エアコン吹き出し口に挿入したときエアコン吹き出し口の奥にある障害物に当たるような場合、切欠き部から本体を切断して短くできるので、障害物に当たらなくできる。
【図面の簡単な説明】
【００１８】
【図１】本発明の第１実施例に係るエアコン吹き出し口用取付具を示す斜視図である。
【図２】同エアコン吹き出し口用取付具を示す平面図である。
【図３】同エアコン吹き出し口用取付具の取付方法を示す説明図である。
【図４】同エアコン吹き出し口用取付具の取付方法を示す説明図である。
【図５】同エアコン吹き出し口用取付具の取付方法を示す説明図である。
【図６】同エアコン吹き出し口用取付具の取付方法を示す説明図である。
【図７】本発明の第２実施例に係るエアコン吹き出し口用取付具を示す斜視図である。
【実施例１】
【００１９】
以下に本発明を図面に基づき説明する。図１及び図２には本発明の第１実施例に係るエアコン吹き出し口用取付具１０が示されている。当該取付具１０はプラスチック成型品の本体１１と奥側スライドブロック１２及び手前側スライドブロック１３を備えている。本体１１は断面形状が略矩形の棒状に成形され、その左側面には長手方向に沿って第１ラチェット歯１１ａが形成されている。また、本体の右側面にはその長手方向に沿って第２ラチェット歯１１ｂが形成されている。第１ラチェット歯１１ａと第２ラチェット歯１１ｂはそれぞれの歯の向きが逆に形成されている。すなわち、第１ラチェット歯１１ａは本体１１の先端部１１ｃの側に傾斜面を有するように形成されている。一方、第２ラチェット歯１１ｂは本体１１の基端部の１１ｄ側に傾斜面を有するように形成されている。
【００２０】
本体１１の先端部１１ｃは先細りに成形され、基端部１１ｄにはカップホルダーやスマートフォン用ホルダー等の車載物品用ホルダー類を着脱可能に取り付けることができる円形の取付部１１ｅが成形されている。この取付部１１ｅは矩形プレート部１１ｆに凸設した軸部１１ｇに一体成形されている。取付部１１ｅは軸部１１ｇより大径を有する。
【００２１】
奥側スライドブロック１２と手前側スライドブロック１３は互いに同一の形状と寸法を有する、各スライドブロック１２，１３は左右両側面１２ａ，１２ｂ，１３ａ，１３ｂと底面１２ｃ，１３ｃから成る断面コ字形に成形されている。一方の側面１２ａ，１３ａには上下２本のスリット１２ｄ，１２ｅが形成されている。このスリット１２ｄ，１２ｅは側面１２ａの一端から中間部まで延びている。両スリット１２ｄ，１２ｅによって側面１２ａの外側へ撓ませることができる可撓部１２ｆが区画形成され、可撓部１２ｆの内面には本体の第１ラチェット歯１１ａ又は第２ラチェット歯１１ｂに弾力的に係合する爪歯１２ｇ，１３ｇが形成されている。可撓部１２ｆ，１３ｆの外面には解除摘み１２ｈ，１３ｈが一体成形されている。底面１２ｃ，１３ｃにはフック部１２ｋ，１３ｋが垂設されている。奥側スライドブロック１２は爪歯１２ｇが第１ラチェット歯１１ａに係合するように本体１１に取り付けられる。また、手前側スライドブロック１３は爪歯１３ｇが第２ラチェット歯１１ｂに係合するように本体１１に取り付けられる。
【００２２】
第１実施例に係るエアコン吹き出し口用取付具１０の構造は以上の通りであって、図３乃至図６に当該取付具１０の使用方法を示す。図３に示すように、取付具１０の取付部１１ｅに車載物品用ホルダー類（図示略）が着脱可能に取り付けられるフックプレート２０を取り付ける。このフックプレート２０はベースプレート２１を備え、ベースプレート２１の上部に取付部１１ｅが着脱可能に係合する係合溝が形成され、該係合溝に取付部１１ｅを係合することによりフックプレート２０が取付具１０の本体１１に取り付けられる。ベースプレート２１の下部には取付具１０をエアコン吹き出し口３０に取り付けたとき、エアコン吹き出し口３０の下端面３１に当接する支持片２２が、軸２３を介して揺動可能に設けられている。ベースプレート２１の前面には車載物品用ホルダー類の係合溝（図示略）に着脱可能に係合するフック片２４が設けられている。
【００２３】
図３に示すエアコン吹き出し口３０はルーバー３２，３３，３４がエアコン吹き出し口３０の開口端面の近くに設けられている。このエアコン吹き出し口３０に取付具１０を取り付けるには、予め奥側スライドブロック１２を本体１１の基端部１１ｄ側に片寄せ、エアコン吹き出し口３０の開口端面からルーバー３３の奥側端部までの間隔に合わせて奥側スライドブロック１２を本体１１の所定位置に固定する。各スライドブロック１２，１３は解除摘み１２ｈ，１３ｈを指で掴んで可撓部１２ｆ，１３ｆを外側へ撓ませ、ラチェット歯１１ａ，１１ｂと爪歯１２ｇ，１３ｇの係合を解除すれば、本体１１の長手方向に沿って奥側へもまた、手前側へもスライドさせることができる。可撓部１２ｆ，１３ｆを元に戻してラチェット歯１１ａ，１１ｂと爪歯１２ｇ，１３ｇを係合すれば、スライドブロック１２，１３が本体１１に固定される。
【００２４】
本体１１と両スライドブロック１２，１３をルーバー３２，３３の間に挿入し、奥側スライドブロック１２のフック部１２ｋをルーバー３３の奥側端部に掛止する。手前側スライドブロック１３を指で本体１１の奥側へスライドさせ、フック部１３ｋをルーバー３３の手前側端部に係合する。これにより、取付具１０がエアコン吹き出し口３０に取り付けられる。取付具１０を取り付けるルーバー３３は、取り付けたとき、支持プレート２２がエアコン吹き出し口３０の下端面３１に当接するものを選択すると、取付具１０をエアコン吹き出し口３０に安定して取り付けることができる。
【００２５】
図４に示すエアコン吹き出し口４０は図３に示すエアコン吹き出し口３０に比べ、ルーバー４２，４３，４４がエアコン吹き出し口４０の開口端面から奥側に設けられている。このエアコン吹き出し口４０に取付具１０を取り付ける場合、予め奥側スライドブロック１２を本体１１の先端側へ片寄せ、エアコン吹き出し口４０の開口端面からルーバー４３の奥側端部までの間隔に合わせて奥側スライドブロック１２を本体１１の所定位置に固定する。本体１１と両スライドブロック１２，１３をルーバー４２，４３の間に挿入し、奥側スライドブロック１２のフック部１２ｋをルーバー４３の奥側端部に掛止する。手前側スライドブロック１３を指で本体１１の奥側へスライドさせ、フック部１３ｋをルーバー４３の手前側端部に係合する。これにより、取付具１０がエアコン吹き出し口４０に取り付けられる。
【００２６】
図５に示すエアコン吹き出し口５０は、吹き出し口５０の下端面５１が上端面５２より手前側に突出している。このエアコン吹き出し口５０に取付具１０を取り付けるときは、取付具１０をルーバー５３，５４，５５と吹き出し口５０の下端面５１との間隔に合わせて奥側スライドブロック１２を本体に固定しておく。
【００２７】
図６に示すエアコン吹き出し口６０は、吹き出し口６０の下端面６１が上端面６２より手前側に突出している。また、３本のルーバー６３，６４，６５のうち２本のルーバー６４．６５が開口端面の外に露出している。このエアコン吹き出し口６０に取付具１０を取り付けるときも、取付具１０を取り付けるルーバー６４と吹き出し口６０の下端面６１との間隔に合わせて奥側スライドブロック１２を本体１１に固定しておく。
【００２８】
第１実施例に係るエアコン吹き出し口用取付具１０によれば、奥側と手前側の一対のスライドブロック１２，１３を本体１１に沿ってスライドさせることができるので、両スライドブロック１２，１３のフック部１２ｋ，１３ｋの間隔をルーバー３３，４３，５４，６４の幅に合わせて調整できる。
【００２９】
両スライドブロック１２，１３の本体１１の基端部１１ｄからの間隔を調整できるので、図３に示すように、ルーバー３２がエアコン吹き出し口３０の開口端面近くに配置されている場合、両スライドブロック１２，１３を本体１１の基端部１１ｄ側へスライドさせ、図４に示すように、ルーバー４３がエアコン吹き出し口４０の開口端面から奥側に配置されている場合、両スライドブロック１２，１３を本体１１の先端部１１ｃ側へスライドさせることにより、本体１１の基端部１１ｄに設けた取付部１１ｅのエアコン吹き出し口３０，４０の開口端面からの突出寸法を車種の違いに拘わらず一定にできる。
従って、取付部１１ｅのエアコン吹き出し口３０，４０の開口端面からの突出寸法を、取付部１１ｅに車載物品用ホルダー類を取り付けたとき支持プレート２２がエアコン吹き出し口３０，４０の下端面３１，４１に当接するように設定することにより、車載物品用ホルダー類を車種の違いに拘わらず安定してエアコン吹き出し口３０，４０に取り付けることができる。
【００３０】
奥側スライドブロック１２は第１ラチェット歯１１ａと爪歯１２ｇが係合しているとき本体１１の先端部１１ｃ側へはスライド不能に本体１１に組み付けられ、手前側スライドブロック１３は第２ラチェット歯１１ｂと爪歯１３ｇが係合しているとき本体１１の基端部１１ｄ側へはスライド不能に本体１１に組み付けられているので、ルーバー３３，４３，５４，６４を挟持している両スライドブロック１２，１３のフック部１２ｋ，１３ｋの間隔が車両走行時の振動で広がるおそれはない。そのため、車両走行時、本体１１がルーバー３３，４３，５４，６４から不用意に外れるのを確実に防止できる。
【００３１】
奥側スライドブロック１２と手前側スライドブロック１３は互いに同一形状、同一寸法に成形したので、単一種類のスライドブロック１２，１３を奥側スライドブロック１２と手前側スライドブロック１３に共用でき、部品点数を少なくしてコストを低減できる。
【実施例２】
【００３２】
図７に本発明の第２実施例に係るエアコン吹き出し口用取付具１０Ａを示す。当該取付具１０Ａの本体１１には、長手方向と直交する溝状の切欠部１１ｈが形成され、該切欠部１１ｈから本体１１を破断することにより短くできるように構成されている。
なお、第２実施例に係るエアコン吹き出し口用取付具１０Ａの他の構成は第１実施例に係るエアコン吹き出し口用取付具１０と同じであるので、同一の構成要素に同一の符号を付して説明を省略する。
【００３３】
第２実施例に係るエアコン吹き出し口用取付具１０Ａによれば、本体１１が長すぎるために、エアコン吹き出し口３０，４０，５０，６０に挿入したときエアコン吹き出し口３０，４０，５０，６０の奥にある障害物に当たるような場合、切欠部１１ｈから本体１１を切断して短くできるので、障害物に当たらなくできる。
【符号の説明】
【００３４】
１０，１０Ａ…エアコン吹き出し口用取付具
１１…本体
１１ａ…第１ラチェット歯
１１ｂ…第２ラチェット歯
１１ｃ…先端部
１１ｄ…基端部
１１ｅ…取付部
１１ｈ…切欠部
１２…奥側スライドブロック
１２ａ，１２ｂ…側面
１２ｃ…底面
１２ｆ…可撓部
１２ｇ…爪歯
１２ｈ…解除摘み
１２ｋ、１３ｋ…フック部
１３…手前側スライドブロック
１３ａ，１３ｂ…側面
１３ｃ…底面
１３ｆ…可撓部
１３ｇ…爪歯
１３ｈ…解除摘み
３０，４０，５０，６０…エアコン吹き出し口
３２，３３，３４，４２，４３，４４，５３，５４，５５，６３，６４，６５…ルーバー
【図１】
2014177169.tif 000003
【図２】
2014177169.tif 000004
【図３】
2014177169.tif 000005
【図４】
2014177169.tif 000006
【図５】
2014177169.tif 000007
【図６】
2014177169.tif 000008
【図７】
2014177169.tif 000009